(57)【要約】【課題】２スロットのＵ字型の固定子の間に回転子が回転自在に配され、Ｕ字型の固定子における固定子鉄心の各固定子極に固定子巻線を巻回したボビンがそれぞれ一対挿入された同期モータにおいて、加熱保護手段を固定子に取り付ける場合に、確実にその固定子の温度を検知することが出来る同期モータを提供する。【解決手段】一対のボビン２８，３０における一方のボビン２８に収納空間３６が設けられ、この収納空間３６にサーマルプロテクター３８が配され、収納空間３６にサーマルプロテクター３８が収納された状態で、固定子巻線１６がボビン２８に巻回されている。【選択図】      図１
2006141185.tif 000002
【特許請求の範囲】
【請求項１】
２スロットのＵ字型の固定子の間に回転子が回転自在に配され、
Ｕ字型の固定子における固定子鉄心の各固定子極に固定子巻線を巻回したボビンがそれぞれ一対挿入された同期モータにおいて、
前記一対のボビンにおける一方のボビンに収納空間が設けられ、
前記収納空間に温度検知手段を配され、
前記収納空間に温度検知手段が収納された状態で、前記固定子巻線が前記ボビンに巻回され、
前記温度検知手段が検出した温度が所定温度以上のときに前記同期モータの回転を停止される過熱保護手段を有している
ことを特徴とする同期モータ。
【請求項２】
前記収納空間が、前記固定子巻線が巻回される前記ボビンの巻回部に形成されている
ことを特徴とする請求項１記載の同期モータ。
【請求項３】
前記収納空間に収納された温度検知手段が、前記固定子巻線に接触している
ことを特徴とする請求項１記載の同期モータ。
【請求項４】
前記温度検知手段と前記過熱保護手段とが一体となった自動復帰型の機能を有するサーマルプロテクターである
ことを特徴とする請求項１記載の同期モータ。
【請求項５】
前記温度検知手段がヒューズである
ことを特徴とする請求項１記載の同期モータ。
【発明の詳細な説明】
【技術分野】
【０００１】
本発明は、単相同期モータにおける加熱保護手段の取り付け構造に関するものである。
【背景技術】
【０００２】
同期モータは、コストが安く、その構造が簡単であるためポンプ等の駆動源として多数使用されている（例えば、特許文献１参照）。
【０００３】
この様な同期モータ１００は、図５に示す様に、Ｕ字型の固定子１０２の２つの固定子極１０６，１０６の間に、回転子１０８を回転自在に配した構造となっている。
【０００４】
この同期モータ１００において過負荷な状態で固定子１０２の温度が所定温度以上に上昇した時に、同期モータ１００の回転を停止させるために、固定子巻線１１０の近傍にサーマルプロテクター１０４が取り付けられている。
【特許文献１】特開平８−２４２５６５公報
【発明の開示】
【発明が解決しようとする課題】
【０００５】
従来の同期モータ１００において、上記した様にサーマルプロテクター１０４は、固定子１０２の近傍に取り付けられているが、組み立て時のバラつきにより、固定子１０２とサーマルプロテクター１０４の間隙の寸法Ｈが異なり、サーマルプロテクター１０４の動作温度にバラつきが生じるという問題点がある。
【０００６】
また、サーマルプロテクター１０４は固定子１０２に相対向して取り付けられているが、このサーマルプロテクター１０４において固定子１０２と相対向する面以外では周囲温度が低いため、サーマルプロテクター１０４の検知している温度が固定子１０２の温度より低くなり、固定子１０２が必要以上に加熱されるという問題点がある。
【０００７】
そこで、本発明は上記問題点に鑑み、加熱保護手段を固定子に取り付ける場合に、確実にその固定子の温度を検知することが出来る同期モータを提供するものである。
【課題を解決するための手段】
【０００８】
請求項１に係る発明は、２スロットのＵ字型の固定子の間に回転子が回転自在に配され、Ｕ字型の固定子における固定子鉄心の各固定子極に固定子巻線を巻回したボビンがそれぞれ一対挿入された同期モータにおいて、前記一対のボビンにおける一方のボビンに収納空間が設けられ、前記収納空間に温度検知手段を配され、前記収納空間に温度検知手段が収納された状態で、前記固定子巻線が前記ボビンに巻回され、前記温度検知手段が検出した温度が所定温度以上のときに前記同期モータの回転を停止される過熱保護手段を有していることを特徴とする同期モータである。
【０００９】
請求項２に係る発明は、前記収納空間が、前記固定子巻線が巻回される前記ボビンの巻回部に形成されていることを特徴とする請求項１記載の同期モータである。
【００１０】
請求項３に係る発明は、前記収納空間に収納された温度検知手段が、前記固定子巻線に接触していることを特徴とする請求項１記載の同期モータである。
【００１１】
請求項４に係る発明は、前記温度検知手段と前記過熱保護手段とが一体となった自動復帰型の機能を有するサーマルプロテクターであることを特徴とする請求項１記載の同期モータである。
【００１２】
請求項５に係る発明は、前記温度検知手段がヒューズであることを特徴とする請求項１記載の同期モータである。
【発明の効果】
【００１３】
請求項１に係る発明の同期モータであると、温度検知手段がボビンにある収納空間に収納されているため、固定子巻線との距離が一定であり、固定子巻線の温度との差が無く、確実に固定子を加熱状態から回避させることが出来る。また、製品毎の保護装置の動作温度の差がなくなる。また、温度検知手段はボビンと固定子巻線に密閉された状態であるため、熱が籠もってプロテクター動作温度が従来より早くなる。さらに、固定子巻線の仕様が変更になっても、ボビンの収納空間に温度検知手段を収納するだけの構造であるため、汎用性がある。
【発明を実施するための最良の形態】
【００１４】
以下、本発明の一実施形態の単相交流同期モータ（以下、単にモータという）１０について説明する。
【００１５】
（１）モータ１０の構成
図１に示すように、モータ１０の固定子１２はＵ字型の固定子鉄心１４の一対の固定子極２０，２２に、固定子巻線１６がそれぞれ巻回されたボビン２８，３０が挿入されている。
【００１６】
図３は一方のボビン２８の正面図であり、図４は図３のＡ−Ａ線断面図である。図３及び図４に示すように、ボビン２８は、合成樹脂製であり、固定子巻線１６を巻回するための円筒状の巻回部３２と、この巻回部３２の上下に設けられたフランジ部３４，３５より構成されている。また、この巻回部３２には、図４に示すように軸方向の溝が形成され収納空間３６を形成している。この収納空間３６内部には自動復帰型の機能を有するサーマルプロテクター３８が収納されている。このサーマルプロテクター３８の２つの端子はボビン２８を貫通して、配線基板２６の上に設けられている駆動回路に電気的に接続される。
【００１７】
サーマルプロテクター３８は収納空間３６に収納された状態で、図２に示すように、ボビン２８に巻回された固定子巻線１６の第一層目に接触して、固定子巻線１６からの熱を直接受けることができる。
【００１８】
また、他方のボビン３０は、合成樹脂製であり、固定子巻線１６を巻回するための円筒状の巻回部と、この巻回部の上下に設けられたフランジ部より構成される。しかし、ボビン２８のように収納空間３６は設けられておらず、サーマルプロテクター３８も配されていない。
【００１９】
回転子１８は、図１に示すように、断面半円型のＳ極とＮ極の一対の磁極で挟持した構成となっており、全体としては断面真円型で、回転子１８は円柱型となっている。そして、回転子１８の中心部に回転軸２４が貫通している。
【００２０】
このモータを駆動させるための駆動回路を有した配線基板２６が、図２に示すように固定子１２の側面に取り付けられている。この配線基板２６の上部は、回転子１８が貫通できるように半円型に切り欠かれている。また、配線基板２６の下部は固定子１２の下部にまで延びており、配線基板２６の下部付近には４つの端子が設けられ、これら端子には、一方の固定子極の固定子巻線１６の両端部と、他方の固定子極に巻回された固定子巻線１６の両端部がそれぞれ接続されている。
【００２１】
（２）モータ１０の回転状態
このモータ１０を回転させるためには、交流電源から駆動回路を通して、回転子１８の回転方向へのトルクが生じるような磁束を発生させるように固定子巻線１６，１６を励磁する。
【００２２】
そして、何らかの理由で負荷が過大となり固定子１２の固定子巻線１６は加熱され、収納空間３６に収納されているサーマルプロテクター３８が検知する温度が所定温度以上になると、サーマルプロテクター３８が動作し、駆動回路を遮断してモータ１０の回転を停止させる。
【００２３】
このような加熱保護の構成において、サーマルプロテクター３８は固定子巻線１６と接触しているため、両者の距離は一定であり、固定子巻線１６の温度とサーマルプロテクター３８との温度に差が無く、確実に固定子１２を加熱状態から回避させることが出来る。また、製品毎の保護装置の動作温度の差がなくなる。
【００２４】
また、サーマルプロテクター３８はボビン２８と固定子巻線１６に密閉された状態であるため、熱が籠もってプロテクター動作温度が従来より早くなる。
【００２５】
さらに、固定子巻線１６の仕様が変更になっても、ボビン２８の収納空間３６にサーマルプロテクター３８を収納するだけの構造であるため、汎用性がある。
【００２６】
（３）変更例
本発明は上記各実施形態に限らず、その主旨を逸脱しない限り種々に変更することができる。
【００２７】
上記の実施形態では加熱保護手段として自動復帰型のサーマルプロテクターを使用したが、これに代えてヒューズであってもよい。
【００２８】
また、上記実施形態では、配線基板２６が、図２に示すように固定子１２の側面に取り付けられている構造であったが、これに限らず配線基板２６が取り付けられていない構造であってもよい。
【産業上の利用可能性】
【００２９】
本発明の同期モータは、ポンプ等の駆動源に好適である。
【図面の簡単な説明】
【００３０】
【図１】本発明の一実施形態を示す同期モータの一部を切り欠いた正面図である。
【図２】同じく同期モータの一部を切り欠いた側面図である。
【図３】ボビンの正面図である。
【図４】図４のＡ−Ａ線断面図である。
【図５】従来の同期モータの正面図である。
【図６】従来の同期モータの側面図である。
【符号の説明】
【００３１】
１０  同期モータ
１２  固定子
１４  固定子鉄心
１６  固定子巻線
１８  回転子
２０  固定子極
２２  固定子極
２４  回転軸
２６  配線基板
３６  収納空間
３８  サーマルプロテクター
【図１】
2006141185.tif 000003
【図２】
2006141185.tif 000004
【図３】
2006141185.tif 000005
【図４】
2006141185.tif 000006
【図５】
2006141185.tif 000007
【図６】
2006141185.tif 000008